(57)【特許請求の範囲】
【請求項１】
空気等の流体が充填されることで膨張し得る環状のチューブを厚紙製の紙筒からなる円筒形の用具本体の少なくとも上部外周面と下部外周面を囲繞するように配設するとともに、未硬化セメント中の水分を上下のチューブの間の空隙に流出させる小孔を前記紙筒に形成したことを特徴とするパイル内セメント抜取用具。
【発明の詳細な説明】
【技術分野】
【０００１】
本発明は、建築物の基礎として地中に埋設したコンクリートパイルの上部に支柱樹立用の縦孔が開設されるようにするパイル内セメント抜取工法および抜取用具に関するものである。
【背景技術】
【０００２】
中空状のコンクリートパイルの上部に円筒形の紙筒を予め取付けておき、該コンクリートパイルを杭打ち工法により地中に埋設し、未硬化セメント（「ノロ」、「ミルク」等とも称される泥とセメントとの混合物）が固結した後に堀削重機等で該紙筒を吊り上げてコンクリートパイル内から抜脱することにより、コンクリートパイルの上部に支柱樹立用の縦孔を開設する方法は従来から知られている。
【０００３】
また、本出願人の出願に係る下記特許文献１に示されたパイル内セメント抜取用具は、空気が封入された多数の小室を有する周知の気泡入りプラスチックフイルムにより抜取用具本体の外周面を包み、該抜取用具本体をコンクリートパイルの上部に予め設定しておき、該コンクリートパイルを地中に埋設し、未硬化セメントが固結した後に該抜取用具本体を吊り上げる時に前記プラスチックフイルムが介在することで該抜取用具本体がコンクリートパイル中から容易に抜脱できるようにしたものであり、これにより上記支柱樹立用縦孔を開設することを容易にするものである。
また、本出願人の出願に係る下記特許文献２に示されたパイル内セメント抜取用具は、折板状の３つの隔壁板を互いに両側縁で着脱自在に連結することにより六角筒状の組立体を形成し、該各隔壁板の外側面を覆うようにエアバッグを配設し、該組立体をコンクリートパイル中に装入して該エアバッグを膨張させることにより該組立体が該コンクリートパイル中に隙間なく設定されるようにするものである。
【先行技術文献】
【特許文献】
【０００４】
【特許文献１】特公平７−３０５４８号公報
【特許文献２】特許第３９１１０６５号公報
【発明の概要】
【発明が解決しようとする課題】
【０００５】
ところで、特許文献１に示されたパイル内セメント抜取用具は、気泡入りプラスチックフイルムがコンクリートパイルの内周面に十分に密着せず、隙間が生じるので、未硬化セメントがその隙間に侵入するおそれがある。このため、該抜取用具本体を抜脱した後に該コンクリートパイルの内周面にセメント層が形成され、そのままであると強度がないセメント層が建物支柱との間に介在することとなるので、耐震性が損なわれるおそれがあった。このセメント層をきれいに剥がし落とすのには、大なる労力と時間を要するという問題があった。
また、特許文献２に示されたパイル内セメント抜取用具は、エアバッグを膨張させることにより上記のような隙間を無くそうとするものであったが、六角筒状の組立体を形成するための隔壁板やエアバッグの製造コストが高くつくので、特許文献１に示された紙筒製の抜取用具のように安価に提供すること、および使い捨てにすることもできないといった問題があるとともに、繰り返し使用するには付着したセメントをきれいに取り除く必要があるので、手間が掛かるという問題があった。
【０００６】
本発明は上記課題を解決し、用具本体とコンクリートパイルの内周面との間に未硬化セメントを侵入させることのないパイル内セメント抜取用具を提供し、コンクリートパイルの内周面にセメント層が形成されることがないようにして、建物基礎工事の作業性を向上させるとともに、常に頑強な基礎が構築され建築物の耐震性が向上されるようにするものである。
【課題を解決するための手段】
【０００７】
その目的を達成するため本発明に係るパイル内セメント抜取工法は、厚紙製の紙筒からなる円筒形の用具本体の少なくとも上部外周面と下部外周面を囲繞する環状のチューブを配設し、該用具本体を中空状のコンクリートパイル中に装入した後、前記チューブに空気等の流体を圧送して該チューブを膨張させることで該チューブをコンクリートパイルの内周面に密着させ、その状態で該コンクリートパイルを地中に埋設することを特徴とする。
また、本発明に係るパイル内セメント抜取用具は、空気等の流体が充填されることで膨張し得る環状のチューブを厚紙製の紙筒からなる円筒形の用具本体の少なくとも上部外周面と下部外周面を囲繞するように配設してなることを特徴とする。
また、本発明は上記パイル内セメント抜取用具において、未硬化セメント中の水分を上下のチューブの間の空隙に流出させる小孔を前記紙筒に形成したことを特徴とする。
また、本発明は上記パイル内セメント抜取用具において、前記紙筒の下端縁に外方へ漏斗状に拡開して前記チューブを保護するガード部材を設けたことを特徴とする。
【発明の効果】
【０００８】
本発明によれば、環状のチューブを膨張させることにより、未硬化セメントが用具本体とコンクリートパイルの内周面の隙間に侵入するのを防止できるので、未硬化セメントが固結した後に堀削重機等で用具本体を吊り上げてコンクリートパイル内から抜脱し該コンクリートパイルの上部に支柱樹立用の縦孔を開設した際に該縦孔の内周面に強度がないセメント層が形成されるのを防止することができる。このため、セメント層を剥がし落とすといった手間の掛かる作業を要することなく、耐震性が高く信頼性のある建物基礎工事を行ない得るようになる。
【図面の簡単な説明】
【０００９】
【図１】本発明に係るパイル内セメント抜取用具の用具本体の斜視図。
【図２】本発明に係るパイル内セメント抜取用具の用具本体の縦断面図。
【図３】本発明に係るパイル内セメント抜取用具の斜視図。
【図４】本発明に係るパイル内セメント抜取用具の横断面図。
【図５】本発明に係るパイル内セメント抜取用具を装入したコンクリートパイルの縦断面図。
【図６】本発明に係るパイル内セメント抜取用具を装入したコンクリートパイルを地中に埋設したときの縦断面図。
【発明を実施するための形態】
【００１０】
先ず図１、図２に従い用具本体１を説明する。用具本体１は、厚さ３〜８ｍｍ程度の厚紙からなる紙筒２と、幅数センチ、厚さ数ミリの鋼鉄製のフラットバーからなる一対の補強材３，３とからなり、該補強材３，３の上端部に逆Ｕ字状の係合片４，４が予め溶接によって固着される。そして該紙筒２の内周面の相対する部位に該補強材３，３が複数のビス５ａ，５ｂにより固着されている。また、６は筒状取付部６ａと傘状部６ｂとからなるプラスチック製のガード部材で、該筒状取付部６ａを紙筒２の下部内面にビス５ｂによって止着することにより、該傘状部６ｂが該紙筒２の下端縁より外方へ漏斗状に拡開するように設けられる。また、該紙筒２の長手方向略中間部に直径１〜３ｍｍ程度の小孔７を多数形成する。
【００１１】
そして、図３，図４に示したように、上記用具本体１の上部外周面と下部外周面を囲繞するように環状のチューブ８ａ，８ｂを止着し、該チューブ８ａ，８ｂに設けられたバルブ９ａ，９ｂに給気用のホース１０ａ，１０ｂを繋ぎ、該ホース１０ａ，１０ｂの他端を図示したように用具本体１の上方まで配設する。該チューブ８ａ，８ｂは内部に空気等の流体を充填することで膨張し得るもので、例えば消防放水用のホースや廃タイヤチューブ等を使用することができ、安価な廃タイヤチューブを使用することによっては製造コストを軽減することができる。ここで、該チューブ８ａ，８ｂは、内径が紙筒２の外径よりも小さいものを使用すれば用具本体１の外周に該チューブの弾性によって自然と止着されるが、その止着のために止め紐，フック、等の止着手段を設けるようにしてもよい。
なお、前記小孔７は紙筒２の上下のチューブ８ａ，８ｂ間の部分に形成されるようにする。
【００１２】
このように構成したパイル内セメント抜取用具は、図５に示したように、工事現場に横置きされた中空のコンクリートパイル２０中に装入し、前記係合片４，４に鉄筋棒２１を貫挿し、該鉄筋棒の両端部を該コンクリートパイル２０の上端面金具２０ａに溶接等で止着する。そして、前記ホース１０ａ，１０ｂにコンプレッサー（図示せず）を繋ぎ、圧縮空気をチューブ８ａ，８ｂに給送することにより該ホース１０ａ，１０ｂを膨張させ、該チューブ８ａ，８ｂを用具本体１の外周面および該コンクリートパイル２０の内周面に密着させる。
【００１３】
このようにチューブ８ａ，８ｂを膨張させた後、該コンクリートパイル２０を堀削重機によって吊り上げて縦にし、図６に示したように、未硬化セメント２２が充満した地中堀削孔中に該コンクリートパイル２０を埋設する。そうすると未硬化セメント２２は、該コンクリートパイル２０の中空孔中を上昇して紙筒２内にも充満し、さらに該未硬化セメント２２は該紙筒２の上端開口から溢れ出るが、膨張したチューブ８ａ，８ｂが用具本体１の外周面および該コンクリートパイル２０の内周面に密着しているので、該チューブ８ａ，８ｂ間の空隙２３に該未硬化セメント２２は侵入することはない。ここで、前記ガード部材６は下方から瓦礫を伴って突き上がってくる未硬化セメント２２がチューブ８ｂに衝突し該チューブ８ｂが損傷するのを防ぐ。即ち、前記ガード部材６はコンクリートパイル２０の中空孔中を上昇してくる未硬化セメント２２を紙筒２内に導くことによりチューブ８ａ，８ｂを保護する。
なお、前記小孔７を形成したことによっては、紙筒２内に充満した未硬化セメント２２中の水分が該小孔７を通過して空隙２３に流出し、該空隙２３にその水が充満することで該空隙２３の圧力が維持される。このため未硬化セメント２２が空隙２３に侵入するのをより確実に防止することができる。
【００１４】
そして、未硬化セメント２２が固結した後、鉄筋棒２１をコンクリートパイル２０から離脱させ、該鉄筋棒２１に堀削重機の吊フック（図示せず）を引っ掛けて、用具本体１を吊り上げる。そうすると、該用具本体１は紙筒２内の硬化セメント、チューブ８ａ，８ｂおよびガード部材６とともに、コンクリートパイル２０内から吊り出される。前記空隙２３が存在することから、この吊り上げの際の摩擦抵抗が軽減される。これにより該コンクリートパイル２０の上部に支柱樹立用の縦孔が形成される。
【００１５】
このようにチューブ８ａ，８ｂを膨張させることで該チューブ８ａ，８ｂは用具本体１の外周面およびコンクリートパイル２０の内周面に強く密着した状態となるので、未硬化セメント２２がコンクリートパイル２０の内周面に付着し固結するのを阻止することができる。このため従来のように用具本体１を抜き取った後に固結セメント層を剥がし落とすといった手間の掛かる作業をする必要がなく、強度のないセメント層が建物支柱との間に介在しないので、コンクリートパイル２０との連結強度が確保され、頑強な基礎を築くことが可能となって建築物の耐震性を向上させる。
【００１６】
なお、チューブ８ａ，８ｂは環状であって用具本体１の上部外周面と下部外周面を囲繞するように設けられているので、図５に示したようにコンクリートパイル２０を横向き状態としてチューブ８ａ，８ｂを膨張させることにより該用具本体１を片寄ることなく常にコンクリートパイル２０の中心に位置させることができる。従って、コンクリートパイル２０内に用具本体１を設置する作業も容易となる。
【符号の説明】
【００１７】
１            用具本体
２            紙筒
３，３        補強材
４，４        係合片
６            ガード部材
７            小孔
８ａ，８ｂ    チューブ
２０          コンクリートパイル
２２          未硬化セメント
２３          空隙
【図１】
0006689591.tif 000002
【図２】
0006689591.tif 000003
【図３】
0006689591.tif 000004
【図４】
0006689591.tif 000005
【図５】
0006689591.tif 000006
【図６】
0006689591.tif 000007